【手続補正書】
【提出日】平成27年10月16日(2015.10.16)
【手続補正１】
【補正対象書類名】明細書
【補正対象項目名】発明の名称
【補正方法】変更
【補正の内容】
【発明の名称】情報処理装置、操作システム、および、情報処理装置の操作方法
【手続補正２】
【補正対象書類名】特許請求の範囲
【補正対象項目名】全文
【補正方法】変更
【補正の内容】
【特許請求の範囲】
【請求項１】
車両に搭載され、前記車両走行中においてアプリケーションソフトウェアの操作をおこなう情報処理装置であって、
前記アプリケーションソフトウェアを実行するアプリケーション制御部と、
前記車両の走行状態を取得する走行状態取得部と、
前記情報処理装置が使用される場所ごとに定義され、前記アプリーションソフトウェアを操作するコマンドに適用される規制ルールであるポリシー情報を記録するポリシー情報記録部と、
画面切り替え指示により画面が切り替わる際に、前記ポリシー情報と、画面が切り替わったあとに表示される前記アプリケーションソフトウェアの操作コマンドの表示名称または代替名称からなるリストであるコマンドリストと、を参照することにより、前記アプリケーションソフトウェアに対するコマンドが、前記車両の走行中に操作可能か否かを示す走行中操作可否リストを作成する走行中操作可否リスト作成部と、を有することを特徴とする情報処理装置。
【請求項２】
ユーザーが発話した音声データを入力する音声入力部と、
前記音声データを解析してテキストデータに変換するテキスト変換部と、
前記テキストデータと前記走行中操作可否リストを参照して、前記テキストデータとして変換された前記ユーザーが発話したコマンドが、前記車両の走行中に操作可能か否かを判定するコマンド実行可否判定部と、を備えることを特徴とする請求項１記載の情報処理装置。
【請求項３】
前記コマンド実行可否判定部は、前記走行中操作可否リストに含まれるコマンドの名称と、前記音声データから変換されたテキストデータの類似度を判定することを特徴とする請求項２記載の情報処理装置。
【請求項４】
前記走行中操作可否リスト作成部で作成した走行中操作可否リストを用いて、操作できないコマンドに対応したボタンを無効化するアプリケーション制御部を有することを特徴とする請求項１記載の情報処理装置。
【請求項５】
前記アプリケーションソフトウェアの画面に表示されている操作用ボタンの名称を抽出することによって、前記アプリケーションソフトウェアから操作するコマンドのリストを作成することを特徴とする請求項４記載の情報処理装置。
【請求項６】
ユーザーの使用言語に関する情報を含むユーザー情報を取得するユーザー情報取得部と、
前記情報処理装置が使用される地域に関する機器情報を取得する機器情報取得部と、を有することを特徴とする請求項１記載の情報処理装置。
【請求項７】
前記アプリケーションソフトウェアを認証するアプリケーション認証部を有し、
前記コマンド実行可否判定部は、前記アプリケーション認証部で認証されたアプリケーションソフトウェアは実行不可としないことを特徴とする請求項１記載の情報処理装置。
【請求項８】
前記情報処理装置は、カーナビゲーションシステムであることを特徴とする請求項１記載の情報処理装置。
【請求項９】
前記情報処理装置は、携帯電話端末であることを特徴とする請求項１記載の情報処理装置。
【請求項１０】
車両に搭載され、前記車両走行中においてアプリケーションソフトウェアの操作をおこなう情報処理装置と、ポリシー配信サーバとが通信網により接続された操作システムであって、
前記情報処理装置は、
前記ポリシー配信サーバと通信する情報処理装置通信部と、
前記車両の走行中に実行が禁止される操作に関する情報であるポリシー情報を記録するポリシー情報記録部と、
前記情報処理装置に関する情報を取得する情報取得部と、を有し、
前記ポリシー配信サーバは、
前記情報処理装置と通信するサーバ通信部と、
前記情報処理装置が使用される場所ごとに定義され、前記アプリーションソフトウェアを操作するコマンドに適用される規制ルールを記録している規制ルール記録部と、
前記情報処理装置に関する情報に基づいて前記規制ルールを選択する規制ルール選択部と、を有し、
前記情報処理装置は、前記情報処理装置通信部を用いて前記ポリシー配信サーバに、前記情報処理装置に関する情報を送信し、
前記ポリシー配信サーバの規制ルール選択部は、前記サーバ通信部を用いて前記情報処理装置から受信した前記情報処理装置に関する情報に基づき、前記規制ルールを選択し、
前記ポリシー配信サーバは、前記規制ルールを、ポリシー情報として、前記サーバ通信部を用いて前記情報処理装置に送信し、
前記情報処理装置は、前記情報処理装置通信部を用いて前記ポリシー配信サーバから送信されてきたポリシー情報を受信することを特徴とする操作システム。
【請求項１１】
車両に搭載され、前記車両走行中においてアプリケーションソフトウェアの操作をおこなう情報処理装置の操作方法であって、
前記アプリケーションソフトウェアを実行するアプリケーション制御ステップと、
前記車両の走行状態を取得する走行状態取得ステップと、
前記情報処理装置が使用される場所ごとに定義され、前記アプリーションソフトウェアを操作するコマンドに適用される規制ルールであるポリシー情報を記録するポリシー情報記録ステップと、
画面切り替え指示により画面が切り替わる際に、前記ポリシー情報と、画面が切り替わったあとに表示される前記アプリケーションソフトウェアの操作コマンドの表示名称または代替名称からなるリストであるコマンドリストと、を参照することにより、前記アプリケーションソフトウェアに対するコマンドが、前記車両の走行中に操作可能か否かを示す走行中操作可否リストを作成する走行中操作可否リスト作成ステップと、を有することを特徴とする情報処理装置の操作方法。
【請求項１２】
ユーザーが発話した音声データを入力する音声入力ステップと、
前記音声データを解析してテキストデータに変換するテキスト変換ステップと、
前記テキストデータと前記走行中操作可否リストを参照して、前記テキストデータとして変換された前記ユーザーが発話したコマンドが、前記車両の走行中に操作可能か否かを判定するコマンド実行可否判定ステップと、を備えることを特徴とする請求項１１記載の情報処理装置の操作方法。
【請求項１３】
前記コマンド実行可否判定ステップは、前記走行中操作可否リストに含まれるコマンドの名称と、前記音声データから変換されたテキストデータの類似度を判定することを特徴とする請求項１２記載の情報処理装置の操作方法。
【請求項１４】
前記走行中操作可否リスト作成ステップで作成した走行中操作可否リストを用いて、操作できないコマンドに対応したボタンを無効化するアプリケーション制御ステップを有することを特徴とする請求項１１記載の情報処理装置の操作方法。
【請求項１５】
前記アプリケーションソフトウェアの画面に表示されている操作用ボタンの名称を抽出することによって、前記アプリケーションソフトウェアから操作するコマンドのリストを作成することを特徴とする請求項１４記載の情報処理装置の操作方法。
【請求項１６】
ユーザーの使用言語に関する情報を含むユーザー情報を取得するユーザー情報取得ステップと、
前記情報処理装置が使用される地域に関する機器情報を取得する機器情報取得ステップと、を有することを特徴とする請求項１１記載の情報処理装置の操作方法。
【請求項１７】
前記アプリケーションソフトウェアを認証するアプリケーション認証ステップを有し、
前記コマンド実行可否判定ステップは、前記アプリケーション認証ステップで認証されたアプリケーションソフトウェアは実行不可としないことを特徴とする請求項１１記載の情報処理装置の操作方法。
【請求項１８】
前記情報処理装置は、カーナビゲーションシステムであることを特徴とする請求項１１記載の情報処理装置の操作方法。
【請求項１９】
前記情報処理装置は、携帯電話端末であることを特徴とする請求項１１記載の情報処理装置の操作方法。